(57)【要約】【課題】表示面を隠さない位置に配置された操作シンボルを指示して操作処理を指定する。【解決手段】画像表示面２２、該画像表示面２２の外側に位置するベゼル部２５を備えた画像表示パネルと、ベゼル部２５に配置され、操作処理項目を指定するための操作シンボル１３１〜１３５を表示した操作シート１２０と、画像表示面２２、及び操作シート１２０を撮像して、画像表示面２２、又は操作シート１２０に接触したペン形入力装置１００からの光を受けて検出信号を出力する少なくとも２台の受光センサ３００、３１０と、受光センサ３００、３１０からの検出信号に基づいて、画像表示面、又は操作シート１２０におけるペン形入力装置１００の座標を検出する受光制御回路３５０と、を備える。【選択図】図８
2017004148.tif 000002
【特許請求の範囲】
【請求項１】
画像表示面、該画像表示面の外側に位置するベゼル部を備えた画像表示パネルと、
前記ベゼル部に配置され、操作処理項目を指定するための操作シンボルを表示した操作シンボル表示部材と、
前記画像表示面、及び前記操作シンボル表示部材を撮像して、前記画像表示面、又は前記操作シンボル表示部材に接触した発光指示体からの光を受けて検出信号を出力する少なくとも２台の撮像手段と、
前記撮像手段からの検出信号に基づいて、前記画像表示面、又は前記操作シンボル表示部材における前記発光指示体の座標を検出する座標検出手段と、を備えたことを特徴とする座標検知装置。
【請求項２】
前記操作シンボル表示部材を交換可能に配置したことを特徴とする請求項１に記載の座標検知装置。
【請求項３】
前記ベゼル部には、異なる種類の操作シンボルが表示された複数の操作シンボル表示部材のうちから一つの操作シンボル表示部材を配置可能であり、
前記操作シンボル表示部材は、当該操作シンボル表示部材に表示された操作シンボルの属性を伝える属性伝達部を備え、
前記属性伝達部の属性を特定する属性特定手段を備える、ことを特徴とする請求項２に記載の座標検知装置。
【請求項４】
画像表示パネルを備える画像表示装置と、
請求項１乃至３の何れか一項に記載の座標検知装置と、
前記座標検知装置から出力された座標に基づいて、前記画像表示装置に表示画像を表示させる表示制御装置と、を備えることを特徴とする電子情報ボード。
【発明の詳細な説明】
【技術分野】
【０００１】
本発明は座標検知装置、及び電子情報ボードに関する。
【背景技術】
【０００２】
近年、液晶パネル等の画像表示装置と、ユーザがペン形入力装置等の指示体を用いて指示した表示面上の座標を検知する座標検知装置と、座標検知装置からの座標データに基づいて書き込まれた各種画像を表示させる制御装置とを備えたインタラクティブ・ホワイトボード（Interactive White board：ＩＷＢ）と称される電子情報ボードが広く使用されている。このような電子情報ボードにおいては、表示面に特定の電子情報ボード操作コマンドを指定する操作シンボルを表示した操作シンボル領域を表示し、当該操作シンボル領域における操作シンボルが指示体で指定されたことを座標検知装置で検知し、電子情報ボードに操作シンボルが指定する動作を行わせる。
【０００３】
特許文献１には、パソコンのデスクトップ画像を投影するプロジェクターのスクリーンを兼ねるホワイトボードに貼り付け可能な操作シート器（操作シンボル表示部材）を配置し、この操作シート器の表面には操作ボタンが表示されており、パソコンは、操作シート器に割り当てられている操作ボタン（操作シンボル）の情報を含む操作シート器ボタン属性表を記憶しており、マーカで操作シート器の操作ボタンをクリックすると、座標読取装置によりクリックされた操作ボタンを検知し、対応するコマンドを実行するものが記載されている。
【発明の概要】
【発明が解決しようとする課題】
【０００４】
しかし、従来の電子情報ボードにあっては、操作シンボルを表示する領域が画像情報を提示する表示面の一部に重ねて表示されている。このため、提示されるべき画像情報が隠されてしまう。これに対処して操作シンボル領域で画像情報を隠さないためには、操作シンボル領域の表示、非表示を選択する操作をする必要がある。
また、特許文献１に記載のものは、操作シート器をホワイトボードにおける投影領域の外側に配置すると、ホワイトボードの投影領域が小さくなり、一方、操作シート器をホワイトボードにおける投影領域の内側に配置すると、ホワイトボードの投影領域に表示される画像情報に被さってしまうといった問題があった。
【０００５】
本発明は、上記課題に鑑みてなされたもので、その目的としては、表示面を隠さない位置に配置された操作シンボルを指示して操作処理を指定することにある。
【課題を解決するための手段】
【０００６】
上記課題を解決するため、請求項１記載の発明は、画像表示面、該画像表示面の外側に位置するベゼル部を備えた画像表示パネルと、前記ベゼル部に配置され、操作処理項目を指定するための操作シンボルを表示した操作シンボル表示部材と、前記画像表示面、及び前記操作シンボル表示部材を撮像して、前記画像表示面、又は前記操作シンボル表示部材に接触した発光指示体からの光を受けて検出信号を出力する少なくとも２台の撮像手段と、前記撮像手段からの検出信号に基づいて、前記画像表示面、又は前記操作シンボル表示部材における前記発光指示体の座標を検出する座標検出手段と、を備えたことを特徴とする。
【発明の効果】
【０００７】
本発明によれば、表示面を隠さない位置に配置された操作シンボルを指示して操作処理を指定することができる。
【図面の簡単な説明】
【０００８】
【図１】本発明の第１実施形態に係る電子情報ボードの外観を示す斜視図である。
【図２】本発明の第１実施形態に係る電子情報ボードのハードウエア構成を示す構成図である。
【図３】本発明の第１実施形態に係る電子情報ボードの構成を模式的に示す図である。
【図４】本発明の第１実施形態に係る電子情報ボードの制御系を示すブロック図である。
【図５】本発明の第１実施形態に係る電子情報ボードにおけるコントローラの構成を示すブロック図である。
【図６】本発明の第１実施形態に係る座標検知装置におけるペン形入力装置の位置検出の原理を示す図である。
【図７】本発明の第１実施形態に係る座標検知装置における受光センサによる検出信号の出力を示すグラフ図である。
【図８】本発明の第１実施形態に係る座標検知装置におけるペン形入力装置の位置検出状態を示す図である。
【図９】本発明の第２実施形態に係る電子情報ボードにおける操作シンボル表示部材の例を示す模式図である。
【発明を実施するための形態】
【０００９】
以下、本発明を図面に示した実施の形態により詳細に説明する。
本発明は、表示面を隠さない位置に配置された操作シンボルを指示して操作処理を指定するために、以下の構成を有する。
即ち、本発明の座標検知装置は、画像表示面、該画像表示面の外側に位置するベゼル部を備えた画像表示パネルと、前記ベゼル部に配置され、操作処理項目を指定するための操作シンボルを表示した操作シンボル表示部材と、前記画像表示面、及び前記操作シンボル表示部材を撮像して、前記画像表示面、又は前記操作シンボル表示部材に接触した発光指示体からの光を受けて検出信号を出力する少なくとも２台の撮像手段と、前記撮像手段からの検出信号に基づいて、前記画像表示面、又は前記操作シンボル表示部材における前記発光指示体の座標を検出する座標検出手段と、を備えたことを特徴とする。
以上の構成を備えることにより、表示面を隠さない位置に配置された操作シンボルを指示して操作処理を指定することができる。
上記の本発明の特徴に関して、以下、図面を用いて詳細に説明する。
【００１０】
＜第１実施形態＞
本発明の第１実施形態に係る座標検知装置、及び電子情報ボードを図面に基づいて説明する。図１は本発明の実施形態に係る電子情報ボードの外観を示す斜視図である。
本発明の実施形態に係る電子情報ボード１０は、図１に示すように、画像表示装置であるディスプレイ２０と、このディスプレイ２０を立てた状態に保持するスタンド４０と、ディスプレイ２０を駆動する機器を収納する機器収納部５０とを備える。
ディスプレイ２０は、液晶パネルやプラズマパネル等でありパネル部材をなす。また、ディスプレイ２０の筐体前面には画像を表示する画像表示面２２が形成され、画像表示面２２には座標検知装置であるタッチパネル２４が配置されている。
ディスプレイ２０は、画像表示面２２、該画像表示面２２の外側に位置するベゼル部２５を備えた画像表示パネルである。
また、実施形態においては、ディスプレイ２０の画像表示面２２の外側に位置するベゼル部２５には、操作処理項目を指定するための操作シンボルを表示した操作シンボル表示部材である操作シート１２０が配置されている。操作シート１２０は、各種の操作シンボル１３１、１３２、１３３、１３４、１３５が表示された操作シンボル表示部１３０を備える。
【００１１】
更に、電子情報ボード１０は、専用の発光指示体であるペン形入力装置１００で画像表示面２２に文字や図形などを書き込むことができる。ペン形入力装置１００は、ペン先１００Ａに接触検知手段を備え、ペン先１００Ａが画像表示面２２に接触したことを検知して筆記検知信号を無線信号として送信する。
また、ディスプレイ２０には、タッチパネル２４を構成する受光手段である２台の受光センサ３００、３１０が配置される。２台の受光センサ３００、３１０により、ペン形入力装置１００の光を検知し、三角測量の原理に基づいてペン形入力装置１００の座標を検知する。
また、ペン形入力装置１００から送信された筆記検知信号を受信する。これらの情報に基づいてタッチパネル２４により検知された座標位置に書き込まれた文字や図形等を表示する。
受光センサ３００、３１０は、画像表示面２２の上側の２つの隅部に配置され、９０度以上の撮像画角を備えている。
また、受光センサ３００、３１０は、画像表示面２２、及び操作シンボル表示部１３０を撮像して、画像表示面２２、又は操作シンボル表示部１３０に接触したペン形入力装置１００からの光を受けて検出信号をそれぞれに出力する。
【００１２】
また、ペン形入力装置１００のペン尻１００Ｂにも接触検知手段を備え、ペン尻１００Ｂが画像表示面２２に接触すると消去検知信号を無線信号として送信する。ディスプレイ２０は、ペン形入力装置１００から送信された消去検知信号を受信すると、タッチパネル２４により検知された座標位置に書き込まれた文字や図形等を画像表示面２２から消去する。
なお、この消去操作による表示処理としては、表示制御装置であるコントローラ６０において、検知された座標位置を背景と同じ色（例えば、白色）とする表示処理が行われる。
【００１３】
更に、ペン形入力装置１００には、画像表示面２２への接触力を検知する感圧センサを備え、感圧センサの検出値に基づいて光の強さを変化させることができる。コントローラ６０は、この光の強弱により、画像表示面２２への書き込み線の太さを変化させる。
【００１４】
機器収納部５０は、例えば後述するコントローラ、プリンタ、ビデオディスク装置等の各種機器が収納されている。また、機器収納部５０の上面には、入力操作を行うキーボード３０が搭載されている。
【００１５】
図２は電子情報ボードのハードウエア構成を示す構成図である。
電子情報ボード１０は、図２に示すように、上述したディスプレイ２０、タッチパネル２４、キーボード３０の他、ＣＰＵ（Central Processing Unit）５０１、ＲＯＭ（Read Only Memory）５０２、ＲＡＭ（Random Access Memory）５０３、ＨＤＤ（Hard Disc Drive）５０４、ＨＤＣ(Hard Disk Controller)５０５、メディアドライブ５０７、インターフェース（I/F）５０８、マウス５０９、マイク５１０、スピーカ５１１、ＧＰＵ(Graphics Processing Unit)５１２を拡張バスライン５２０で接続して構成される。
【００１６】
ＣＰＵ５０１は、電子情報ボード１０の全体動作を制御する。Ｒ０Ｍ５０２は、ＩＰＬ等のＣＰＵ５０１の駆動に用いられるプログラムを記憶している。ＲＯＭ５０３は、ＣＰＵ５０１のワークエリアとして使用される。ＨＤＤ５０４は、プログラム等の各種データを記憶している。ＨＤＣ５０５は、ＣＰＵ５０１の制御に従ってＨＤＤ５０４に対する各種データの読み出し又は書き込みを制御する。メディアドライブ５０７は、フラッシュメモリ等の記録メディア５０６に対するデータの読み出し又は書き込み（記憶）を制御する。Ｉ／Ｆ５０８は、通信ネットワークを介してデータ送信や、ソフトウエアの不正使用防止のために用いられるドングルの接続を行う。ＧＰＵ５１２には、ＧＰＵ５１２の駆動に用いられるプログラムを記憶したＲＯＭ５１３、ＧＰＵ５１２のワークエリアとして使用されるＲＡＭ５１４が接続されている。拡張バスライン５２０は、上記各構成要素を電気的に接続するためのアドレスバスやデータバス等を備える。
【００１７】
図３は同電子情報ボードの構成を模式的に示す図、図４は同電子情報ボードの制御系を示すブロック図である。
ディスプレイ２０は、コントローラ６０により制御されており、入力操作される各種の画面操作部２６やユーザＰＣ（Personal Computer）９０から取り込まれた画像を画像表示面２２に表示する。
また、コントローラ６０は、ＵＳＢ（Universal Serial Bus）ケーブル７０が接続されるＵＳＢソケット７２、ＶＧＡ（Video Graphics Array）ケーブル８０が接続される入力ソケット８２を備える。図３及び図４に示した例では、入力ソケット８２は、ＶＧＡケーブルに対応しているとしたが、入力ソケット８２は、ＨＤＭＩ(登録商標)（High-Definition Multimedia Interface）、ＤｉｓｐｌａｙＰｏｒｔ等他の規格の入力ケーブルが接続するものとできる。
【００１８】
ユーザＰＣ９０は、磁気ディスク装置などからなるストレージ９４を有する。ストレージ９４には、各種コンテンツ及びコンテンツ表示用アプリケーションソフトウエアなどのプログラムが格納されている。そして、操作者は、ストレージ９４に格納されたコンテンツの中から所望のコンテンツを選択することで、モニター９２に当該コンテンツを表示させる。
このため、コントローラ６０は、ユーザＰＣ９０のモニター９２に表示された画像データがＵＳＢケーブル７０及びＶＧＡケーブル８０を介して転送されると、ディスプレイ２０のユーザＰＣ画面２８にモニター９２に表示された画像データと同じ画像を表示する。
【００１９】
また、コントローラ６０は、光ファイバなどの通信回線２０１及びネットワークソケット２０２を介してインターネット又はＬＡＮ（Local Area Network）等のネットワーク２０４にも接続される。
【００２０】
図５は同電子情報ボードのコントローラの構成を示すブロック図である。
電子情報ボード１０のコントローラ６０は、ペン信号受信部２１０と、コントローラオペレーションシステム部２２０と、アプリケーション部２３０と、映像入力デバイス部２４０と、タッチパネルドライバ部２５０とを有する。また、アプリケーション部２３０は、イベント信号判断部２３１と、映像入力処理部２３２と、画像描画処理部２３４と、画面消去処理部２３６と、画面操作処理部２３８とを有する。
コントローラオペレーションシステム部２２０は、コントローラ６０で行う制御処理を管理、実行するメイン制御部である。アプリケーション部２３０は、ディスプレイ２０の画像表示面２２に表示される画像全体を生成する制御処理、ユーザＰＣ画面２８に表示する制御処理を行う。また、コントローラオペレーションシステム部２２０は、ペン形入力装置１００のペン先１００Ａ、もしくはペン尻１００Ｂが画像表示面２２に接触して筆記検知信号が検知された場合、ならびに指等の非発光体が検知された場合に、筆記された図形や文字などを表示する制御処理を行う。
【００２１】
イベント信号判断部２３１は、コントローラオペレーションシステム部２２０から入力されるイベント信号を監視しており、入力されたイベント信号に応じた制御処理を行う。
映像入力処理部２３２は、ユーザＰＣ９０から入力された画像を画像表示面２２のユーザＰＣ画面２８に表示するための制御処理を行う。
画像描画処理部２３４は、イベント信号判断部２３１を介してタッチパネル２４から入力される座標位置のデータに基づいて手書きのグラフィックを生成する。また、画像描画処理部２３４は、既に表示された画像に手書きのグラフィックを重畳してディスプレイ２０の画像表示面２２に表示する。
画面消去処理部２３６は、イベント信号判断部２３１を介してタッチパネル２４から入力される座標位置の情報に基づいて現在表示されている画像の背景色でグラフィックを生成する。これにより、既に表示された画像に背景色のグラフィックを重畳してディスプレイ２０の画像表示面２２に表示する。
これにより、ディスプレイ２０に表示された手書きグラフィックに背景色のグラフィックが重畳されて見かけ上は、画像表示面２２から消去される。
【００２２】
画面操作処理部２３８は、タッチパネル２４から入力される座標位置の情報（信号）をマウスイベントなどのポインティングデバイス信号に変換し、ディスプレイ２０の画像表示面２２に表示される画面操作部２６のオン・オフ操作による処理を行う。また、画面操作処理部２３８は、タッチパネル２４の受光センサ３００、３１０により検知されたペン形入力装置１００が接触した座標位置の情報をマウスダウンイベントとして座標値と共にコントローラオペレーションシステム部２２０に伝送する。更に、ペン形入力装置１００がタッチパネル２４の画像表示面２２に接触したまま移動させられた場合、マウスアップイベントとして座標値と共にコントローラオペレーションシステム部２２０に伝送する。
【００２３】
受光制御回路３５０は、座標検出手段として、ペン形入力装置１００座標を検出する。詳しくは、受光制御回路３５０は、受光センサ３００、３１０からの検出信号に基づいて、画像表示面２２、又は操作シート１２０におけるペン形入力装置１００の座標を検出する。
また、タッチパネルドライバ部２５０は、ペン形入力装置１００及び受光制御回路３５０から入力された座標位置信号及び筆記検知信号又は消去検知信号を所定のイベント信号に変換してコントローラオペレーションシステム部２２０に伝送する。
タッチパネルドライバ部２５０は、ペン信号受信部２１０でペン形入力装置１００より筆記検知信号又は消去検知信号が受信されると、座標位置信号と共に筆記検知信号又は消去検知信号をコントローラオペレーションシステム部２２０に伝送する。
受光制御回路３５０は、受光センサ４１０が検出した第１検出信号、及び第２検出信号の出力に基づいてペン形入力装置１００及び指等の座標を演算する他、発光部４２０の発光を制御する。
【００２４】
ここで、本実施形態に係る座標検知装置の原理について説明する。
図６は実施形態に係る座標検知装置におけるペン形入力装置の位置検出の原理を示す図である。
本実施形態では、発光素子を搭載したペン形入力装置１００の画像表示面２２、ベゼル部２５に配置された操作シート１２０ヘの入力検出ならびに位置検出を行う。
ペン形入力装置１００には発光素子１１０が搭載されており、そのペン先１００Ａが画像表示面２２に接触されたとき、発光素子１１０から照射された赤外線が受光センサ３００、３１０に入射する。このとき、ペン形入力装置１００が画像表示面２２に接触した位置での赤外線光量が大きくなり、その角度を受光センサ３００、３１０の検出結果から算出することができる。
図７は図６に示した座標検知装置における受光センサによる検出信号の出力を示すグラフである。
【００２５】
図８に示すように、ペン形入力装置１００に搭載されている発光素子１１０から赤外線が発光された際に、その位置の光量が突出して大きくなる。その角度θ１を受光センサ３００で、角度θ２を受光センサ３１０で求め、三角測量方式でペンの座標（Ｘ１，Ｙ１）を算出する。
ペン形入力装置１００が複数になった場合、無線信号の発信機をペン形入力装置１００にそれぞれ仕込み、異なった信号を発信し、タッチパネル２４でその信号を受信することで、ペン形入力装置１００の個体を識別することができる。
【００２６】
図８は実施形態に係る同座標検知装置におけるペン形入力装置の位置検出状態を示す図である。
タッチパネル２４は、前記した原理に基づいて座標検知装置を行う。この例では、受光センサ３００、３１０は、ディスプレイ２０における画像表示面２２の上側両角部に配置されている。また受光センサ３００、３１０は、それぞれ９０°以上の画角を持っており、画像表示面２２だけではなく、画像表示面２２の周囲に配置されるベゼル部２５の上側部を検出することができる。なお、受光センサ３００、３１０を画像表示面２２と、ベゼル部２５が画角に収まる位置であれば他の位置に配置したり、２つ以上を設置したりすることができる。
そして、本実施形態では、ベゼル部２５上の任意の位置、本例では上部に、操作シンボル表示部１３０を備えた操作シート１２０を配置している。操作シンボル表示部１３０には、各種の操作シンボル１３１、１３２、１３３、１３４、１３５が記載されている。
【００２７】
タッチパネル２４において、ペン形入力装置１００で操作シート１２０の操作シンボル表示部１３０の操作シンボル１３１〜１３５の何れかに接触すると、検出されたペン形入力装置１００の座標に基づいて指定された操作シンボル１３１〜１３５を特定する。
この操作シンボル１３１〜１３５の特定は、タッチパネルドライバ部２５０から出力されたペン形入力装置１００の座標に基づいて行う。そして、画面操作処理部２３８は、特定された操作シンボル１３１〜１３５に基づいて画面の操作処理を行う。これにより、操作シート１２０を画像表示面２２に重ねることなく、操作シンボル表示部１３０中の操作シンボル１３１〜１３５の何れかを指示して操作メニューの選択を行うことができる。
これにより、画像表示面２２を隠さない位置であるベゼル部２５に配置された操作シート１２０を指示して操作処理を指定することができる。
【００２８】
このとき、ベゼル部２５に操作シート１２０を配置する表示部材配置部である操作シート配置部２９を予め定めておく。これにより、操作シート１２０の位置についてキャリブレーションを行うことなく操作メニューを指定することができる。
【００２９】
なお、このタッチパネル２４は、ディスプレイ２０を備えた表示装置だけでなく、プロジェクターからスクリーンに画像を投影するものに適用できる。この場合、受光センサ３００、３１０をスクリーンに対する取付け位置を一定にし、更に受光センサ３００、３１０の位置に対して操作シート１２０を一定の位置に配置する。これにより、プロジェクターを使用した機器でも毎回キャリブレーションを実施することなく、操作メニューを選択することができる。
【００３０】
＜第２実施形態＞
次に発明の第２実施形態について説明する。
第２実施形態に係る座標検知装置においては、準備した複数種の操作内容に対応する操作シートから選択した操作シートをタッチパネル２４の操作シート配置部２９に交換可能に配置する。電子情報ボード１０として、異なる種類の処理、例えば描画処理、又はスタンプ機能を備えた映像再生処理等の切り替えができるものがある。
図９は第２実施形態に係る電子情報ボードにおける操作シンボル表示部材の例を示す模式図である。
【００３１】
図９（ａ）に示した操作シート１２０は、描画処理に対応する。
操作シート１２０の操作シンボル表示部１３０には、描画処理の各処理に対応する操作シンボル１３１〜１３５が記載されている。この例では、操作シンボル１３１は「終了」、操作シンボル１３２は「ページ複製」、操作シンボル１３３は「手書き入力」、操作シンボル１３４は「戻る」、操作シンボル１３５は「進む」を示している。
図９（ｂ）に示した操作シート１５０は、スタンプ機能を備えた映像再生処理に対応する。
操作シート１５０の操作シンボル表示部１６０には、スタンプ機能を備えた映像再生処理に対応する操作シンボル１６１、１６２、１６３、１６４、１６５が記載されている。この例では、操作シンボル１６１は「スタート」、操作シンボル１６２は「テキスト入力」、操作シンボル１６３は「重要マーク」、操作シンボル１６４は「再生」、操作シンボル１６５は「早送り」を示している。
【００３２】
第２実施形態において、タッチパネル２４は、操作シート１２０又は操作シート１５０を選択して操作シート配置部２９に配置可能であり、操作シート１２０、１５０を配置するだけで、操作シートの種類を認識する。
即ち、操作シート１２０、１５０には、操作シンボルの属性を伝える属性伝達部１４０、１７０を備えると共に、ベゼル部２５の操作シート配置部２９には、この属性伝達部１４０、１７０の属性を特定する属性特定手段１８０を備える。本実施形態では、属性伝達部１４０、１７０としては、複数の突起部を異なるパターンで配置したものを使用し、操作シート配置部２９に配置する属性特定手段１８０は、属性伝達部１４０、１７０の突起の配置状態を検出するものである。
【００３３】
本実施形態では、電子情報ボード１０において事前に各操作シート１２０、１５０の突起パターンを表す突起情報を例えば４ビットのデータとして画面操作処理部２３８に記憶させておく。例えば、操作シート１２０の属性伝達部１４０の突起情報を「１１０１」とし、操作シート１５０の属性伝達部１７０の突起情報を「１０１１」とし、画面操作処理部２３８に登録させておく。
これにより、操作シート１２０、１５０を入れ替えるだけで、属性特定手段１８０が属性伝達部の突起パターンを読み取って取得し、取得結果の情報と画面操作処理部２３８から参照した登録済みの突起情報とを照合することで、どちらの操作シートが選択されているかを認識し、それぞれの操作シートに対応した処理を実施することができる。
なお、操作シートの種類は３以上とすることができる。また、属性伝達部及び認識手段は突起部に限らず、ＩＣタグ、無線タグ等他の手段を採用でき、タッチパネル２４の操作シート配置部２９にこれらに認識手段を備えることができる。
【００３４】
＜本発明の実施態様例の構成、作用、効果＞
＜第１態様＞
本態様は、画像表示面２２、該画像表示面２２の外側に位置するベゼル部２５を備えた画像表示パネルと、ベゼル部２５に配置され、操作処理項目を指定するための操作シンボル１３１〜１３５を表示した操作シート１２０と、画像表示面２２、及び操作シート１２０を撮像して、画像表示面２２、又は操作シート１２０に接触したペン形入力装置１００からの光を受けて検出信号を出力する少なくとも２台の受光センサ３００、３１０と、受光センサ３００、３１０からの検出信号に基づいて、画像表示面、又は操作シート１２０におけるペン形入力装置１００の座標を検出する受光制御回路３５０と、を備えたことを特徴とする。
本態様によれば、画像表示面２２の外側に位置するベゼル部２５に操作シート１２０を配置しておき、画像表示面２２、及び操作シート１２０を撮像して、画像表示面２２、又は操作シート１２０に接触したペン形入力装置１００からの光を受光センサ３００、３１０で撮像してペン形入力装置１００の座標を検出することができる。これにより、画像表示面２２を隠さない位置であるベゼル部２５に配置された操作シート１２０を指示して操作処理を指定することができる。
【００３５】
＜第２態様＞
本態様は、操作シート１２０及び操作シート１５０を交換可能に配置したことを特徴とする。
本態様によれば、異なる操作シート１２０、１５０から電子情報ボード１０の操作内容に適合したものを選択できる。これにより、多様な機能を備える電子情報ボード１０に適用できる。
【００３６】
＜第３態様＞
本態様は、ベゼル部２５には、異なる種類の操作シンボルが表示された操作シート１２０、１５０のうちから一つの操作シートを配置可能であり、前記操作シート１２０、１５０は、当該操作シート１２０、１５０に表示された操作シンボルの属性を伝える属性伝達部１４０、１７０を備え、属性伝達部１４０、１７０の属性を特定する属性特定手段１８０を備える、ことを特徴とする。
本態様によれば、属性特定手段１８０が、ベゼル部２５に配置された操作シートの属性伝達部の属性を取得する。これにより、操作シートをベゼル部２５に配置するだけで操作シート１２０、又は操作シート１５０の属性が簡単に取得でき、操作シート１２０、又は操作シート１５０による操作の選択ができる。
【００３７】
＜第４態様＞
本態様は、画像表示パネルを備えるディスプレイ２０と、上記タッチパネル２４と、タッチパネル２４から出力された座標に基づいて、ディスプレイ２０に表示画像を表示させる画像描画処理部２３４と、を備えることを特徴とする電子情報ボード１０である。
本態様によれば、ディスプレイ２０のベゼル部２５に配置された操作シート１２０の操作シンボル１３１〜１３５をペン形入力装置１００で指定してペン形入力装置１００の操作を指定できる。これにより、ディスプレイ２０の画像表示面２２には操作シンボルが表示されず、電子情報ボード１０の画像表示面２２を広い範囲で有効に使用できる。
【符号の説明】
【００３８】
１０…電子情報ボード、２０…ディスプレイ、２２…画像表示面、２５…ベゼル部、１００…ペン形入力装置、１２０…操作シート、１３０…操作シンボル表示部、１３１〜１３５…操作シンボル、３００、３１０…受光センサ、３５０…受光制御回路
【先行技術文献】
【特許文献】
【００３９】
【特許文献１】特許第４７８５７６０号
【図１】
2017004148.tif 000003
【図２】
2017004148.tif 000004
【図３】
2017004148.tif 000005
【図４】
2017004148.tif 000006
【図５】
2017004148.tif 000007
【図６】
2017004148.tif 000008
【図７】
2017004148.tif 000009
【図８】
2017004148.tif 000010
【図９】
2017004148.tif 000011